(57)【要約】    【課題】  打球の飛距離を増大させる。    【解決手段】  フェース部２と、このフェース部２の背面２Ｂからヘッド後方にのびるヘッド本体部３とを有し、かつ、ヘッド本体部３は、ヘッド上部、ヘッド底部及びヘッド側部をそれぞれ形成するクラウン部４、ソール部５及びサイド部６を含む中空構造のゴルフクラブヘッド１である。クラウン部４は、前記背面２Ｂからクラウン奥行き長さＬｃの０．１５倍の距離を隔てる位置までの前方領域Ｌｃａをなすクラウン前部４ａと、前記背面２Ｂからクラウン奥行き長さＬｃの０．３０倍以上かつ１．０倍の後方領域Ｌｃｂをなすクラウン後部４ｂとを含む。クラウン前部４ａは、クラウン後部４ｂよりも小さい剛性を有することを特徴とする。【選択図】  図３
2005137788.tif 000002
【特許請求の範囲】
【請求項１】
ボールを打球するフェース面を有するフェース部と、このフェース部の背面に連なりヘッド後方にのびるヘッド本体部とを有し、
かつ、ヘッド本体部は、ヘッド上部、ヘッド底部及びヘッド側部をそれぞれ形成するクラウン部、ソール部及びサイド部を含む中空構造のゴルフクラブヘッドであって、
前記クラウン部は、前記背面からクラウン奥行き長さＬｃの０．１５倍の距離を隔てる位置までの前方領域をなすクラウン前部と、前記背面からクラウン奥行き長さＬｃの０．３０倍以上かつ１．０倍の後方領域をなすクラウン後部とを含み、かつ、クラウン前部は前記クラウン後部よりも小さい剛性を有することを特徴とするゴルフクラブヘッド。
【請求項２】
前記ソール部は、前記背面からソール奥行き長さＬｓの０．１５倍の距離を隔てる位置までの前方領域をなすソール前部と、前記背面からソール奥行き長さＬｓの０．３０倍以上かつ１．０倍の後方領域をなすソール後部とを含み、かつ、前記ソール前部は前記ソール後部よりも小さい剛性を有することを特徴とする請求項１記載のゴルフクラブヘッド。    
【請求項３】
前記クラウン部は、前記クラウン前部の平均厚さｔｃ１が、前記クラウン後部の平均厚さｔｃ２よりも小さいことを特徴とする請求項１又は２に記載のゴルフクラブヘッド。
【請求項４】
前記クラウン後部は、その内面側にヘッド前後方向にのびる１ないし複数本の突状のクラウンリブが設けられ、前記クラウン前部は該クラウンリブが設けられていないことを特徴とする請求項１記載のゴルフクラブヘッド。
【請求項５】
ボールを打球するフェース面を有するフェース部と、このフェース部の背面に連なりヘッド後方にのびるヘッド本体部とを有し、
かつ、ヘッド本体部は、ヘッド上部、ヘッド底部及びヘッド側部をそれぞれ形成するクラウン部、ソール部及びサイド部を含む中空構造のゴルフクラブヘッドであって、
前記ソール部は、前記背面からソール奥行き長さＬｓの０．１５倍の距離を隔てる位置までの前方領域をなすソール前部と、前記背面からソール奥行き長さＬｓの０．３０倍以上かつ１．０倍の後方領域をなすソール後部とを含み、
かつ、前記ソール前部は前記ソール後部よりも小さい剛性を有することを特徴とするゴルフクラブヘッド。
【請求項６】
前記ソール部は、前記ソール前部の平均厚さｔｓ１が、前記ソール後部の平均厚さｔｓ２よりも小さいことを特徴とする請求項５に記載のゴルフクラブヘッド。
【請求項７】
前記ソール後部は、その内面側にヘッド前後方向にのびる１ないし複数本の突状のソールリブが設けられ、前記ソール前部は該ソールリブが設けられていないことを特徴とする請求項５に記載のゴルフクラブヘッド。
【発明の詳細な説明】
【技術分野】
【０００１】
本発明は、打球の飛距離を増大しうるゴルフクラブヘッドに関する。
【背景技術】
【０００２】
打球の飛距離を増大させるために、ゴルフクラブヘッドのフェース部に関して種々の改良が提案されている。具体的には、フェース部の周辺部の厚さを小さくしたいわゆる周辺薄肉構造や、フェース部に強度が高く弾性率が小さい材料等の採用を挙げることができる。これにより、フェース部の反発係数が大きくなり、ボールの打ち出し初速を高める。しかしながら、フェース部の改善だけでは、反発係数の増加については自ずと限界がある。
【０００３】
近年、ウッド型のゴルフクラブヘッドにおいて、クラウン部の剛性を小さくすることにより、打球時にクラウン部を大きく撓ませボールの打ち出し角度を大きくすることによって飛距離を増大させる試みがなされている（下記特許文献１参照）
【０００４】
【特許文献１】特開２００３−８８６０１号公報
【発明の開示】
【発明が解決しようとする課題】
【０００５】
しかしながら、上記の提案では、打球時にクラウン部全体が大きく変形する。このため、ヘッドの運動エネルギーの多くがクラウン部を広範囲に変形させるのに消費され、エネルギーロスが大きくそのスプリング効果自体は小さい。つまり、上記提案では、打ち出し角度は大きくできるものの反発係数を大きく維持することは難しい。
【０００６】
本発明は、以上のような実情に鑑み案出なされたもので、フェース部の背面に連なりヘッド後方にのびるヘッド本体部におけるクラウン部が、フェース部側のクラウン前部と、その後方に設けられたクラウン後部とを含み、かつ、クラウン前部はクラウン後部よりも小さい剛性を有することを基本として、ボールの打ち出し角のみならず反発係数についても向上しうるゴルフクラブヘッドを提供することを目的としている。
【課題を解決するための手段】
【０００７】
本発明のうち請求項１記載の発明は、ボールを打球するフェース面を有するフェース部と、このフェース部の背面に連なりヘッド後方にのびるヘッド本体部とを有し、かつ、ヘッド本体部は、ヘッド上部、ヘッド底部及びヘッド側部をそれぞれ形成するクラウン部、ソール部及びサイド部を含む中空構造のゴルフクラブヘッドであって、前記クラウン部は、前記背面からクラウン奥行き長さＬｃの０．１５倍の距離を隔てる位置までの前方領域をなすクラウン前部と、前記背面からクラウン奥行き長さＬｃの０．３０倍以上かつ１．０倍の後方領域をなすクラウン後部とを含み、かつ、クラウン前部は前記クラウン後部よりも小さい剛性を有することを特徴とするゴルフクラブヘッドである。
【０００８】
また請求項２記載の発明は、前記ソール部は、前記背面からソール奥行き長さＬｓの０．１５倍の距離を隔てる位置までの前方領域をなすソール前部と、前記背面からソール奥行き長さＬｓの０．３０倍以上かつ１．０倍の後方領域をなすソール後部とを含み、かつ、前記ソール前部は前記ソール後部よりも小さい剛性を有することを特徴とする請求項１記載のゴルフクラブヘッドである。
【０００９】
また請求項３記載の発明は、前記クラウン部は、前記クラウン前部の平均厚さｔｃ１が、前記クラウン後部の平均厚さｔｃ２よりも小さいことを特徴とする請求項１又は２に記載のゴルフクラブヘッドである。
【００１０】
また請求項４記載の発明は、前記クラウン後部は、その内面側にヘッド前後方向にのびる１ないし複数本の突状のクラウンリブが設けられ、前記クラウン前部は該クラウンリブが設けられていないことを特徴とする請求項１記載のゴルフクラブヘッドである。
【００１１】
また請求項５記載の発明は、ボールを打球するフェース面を有するフェース部と、このフェース部の背面に連なりヘッド後方にのびるヘッド本体部とを有し、かつ、ヘッド本体部は、ヘッド上部、ヘッド底部及びヘッド側部をそれぞれ形成するクラウン部、ソール部及びサイド部を含む中空構造のゴルフクラブヘッドであって、前記ソール部は、前記背面からソール奥行き長さＬｓの０．１５倍の距離を隔てる位置までの前方領域をなすソール前部と、前記背面からソール奥行き長さＬｓの０．３０倍以上かつ１．０倍の後方領域をなすソール後部とを含み、かつ、前記ソール前部は前記ソール後部よりも小さい剛性を有することを特徴とするゴルフクラブヘッドである。
【００１２】
また請求項６記載の発明は、前記ソール部は、前記ソール前部の平均厚さｔｓ１が、前記ソール後部の平均厚さｔｓ２よりも小さいことを特徴とする請求項５に記載のゴルフクラブヘッドである。
【００１３】
また請求項７記載の発明は、前記ソール後部は、その内面側にヘッド前後方向にのびる１ないし複数本の突状のソールリブが設けられ、前記ソール前部は該ソールリブが設けられていないことを特徴とする請求項５に記載のゴルフクラブヘッドである。
【発明の効果】
【００１４】
本発明のゴルフクラブヘッドは、クラウン部のフェース部側に剛性が小さいクラウン前部を有するため、打球時にこの部分を大きく弾性変形させて撓ませることができる。これにより、フェース部の見かけ上のロフト角を大きくし、ボールの打ち出し角度を大きくできる。またクラウン前部の後方には、剛性が大きいクラウン後部が設けらるため、打球時におけるクラウン部の弾性変形はクラウン前部の小さい範囲に制限できる。この結果、エネルギーロスが小さく、クラウン前部の撓みの復元に伴うスプリング効果が効率良く生じ、反発係数の向上も期待できる。このように、本発明のゴルフクラブヘッドは、打ち出し角と反発係数との双方を向上させて打球の飛距離を増大しうる。
【発明を実施するための最良の形態】
【００１５】
以下、本発明の実施の一形態を図面に基づき説明する。
図１は、本発明の実施形態を示すゴルフクラブヘッドの基準状態の全体斜視図、図２はその平面図、図３は、図２のＡ−Ａ断面図、図４は図３のＹ部拡大図である。ここで、基準状態とは、ゴルフクラブヘッド（以下、単に「ヘッド」ということがある。）１のシャフト軸線（後述するシャフト差込孔７ａの軸中心線ＣＬで代用する。）を垂直面ＶＰ内に配して当該ヘッド１に定められたライ角で傾けかつ水平面ＨＰに接地させるとともに、ヘッド重心Ｇからフェース面Ｆに引いた法線Ｎを水平面ＨＰに投影した投影法線が前記垂直面ＶＰと直角をなる状態として定める。どのようなヘッドであっても、シャフト軸線をライ角で保持ししたまま該シャフト軸線周りでヘッド１を回転させることにより上述の位置に設定できる。
【００１６】
本実施形態のヘッド１は、ボールを打球するフェース面Ｆを有するフェース部２と、このフェース部２の背面２Ｂに連なりヘッド後方にのびるヘッド本体部３とを有する。本実施形態のヘッド１は、金属材料により構成されたウッド型のものが例示されており、内部には中空部ｉが設けられた中空構造のものが示される。
【００１７】
前記フェース部２は、その外表面であり、かつ、ボールを打球するフェース面Ｆと、その反対側の面である背面２Ｂとを有する。フェース部２の厚さは本実施形態では実質的に一定としているが、周辺部を薄くした周辺薄肉構造などを採用することも勿論構わない。また、フェース面Ｆには、フェースライン等の溝（図示せず）が設けられることもある。フェース部２の前記背面２Ｂは、図４に示されるように、ヘッドの中空部ｉに面した主背面２Ｂ１と、この主背面２Ｂ１の外縁Ｐａから垂直にのびるものとして仮想設定される周縁背面２Ｂ２とを含むものとする。そして、ヘッド本体部３は、この周縁背面２Ｂ２に連なってヘッド後方へとのびている。
【００１８】
ヘッド本体部３は、ヘッド上部、ヘッド底部及びヘッド側部をそれぞれ形成するクラウン部４、ソール部５及びサイド部６を含み、さらにクラウン部４のヒール側にはネック部７が設けられている。ネック部７は、図示しないシャフトが差し込まれる円筒状のシャフト差込孔７ａが形成される。このシャフト差込孔７ａの軸中心線ＣＬはシャフト軸線と実質的に一致するため、ライ角の設定時にはシャフト軸線よして代用できる。フェース部２とヘッド本体部３とは鋳造等により予め一体に接合されていても良く、また溶接等によって接合されても良い。
【００１９】
本実施形態のヘッド１は、図３に示されるように、クラウン部４が、フェース部２の背面２Ｂからクラウン奥行き長さＬｃの０．１５倍の距離を隔てる位置までの前方領域Ｌｃａをなすクラウン前部４ａと、前記背面２Ｂからクラウン奥行き長さＬｃの０．３０倍以上かつ１．０倍の後方領域Ｌｃｂをなすクラウン後部とを含み、かつ、クラウン前部４ａはクラウン後部４ｂよりも小さい剛性（曲げ剛性ＥＩ）を有している。ここで、クラウン奥行き長さＬは、前記フェース部２の背面２Ｂの外縁Ｐａのうちクラウン部側でかつ最もフェース面側の位置から中空部ｉにおけるクラウン部４の最もバックフェース側をなす後端縁Ｐｂまでの距離であり、かつ、前記基準状態における法線Ｎと平行な方向で測定される。
【００２０】
図５に示されるように、ボールを打球した場合、クラウン前部４ａ、クラウン後部４ｂの各部には、それぞれ曲げモーメントＭｆ、Ｍｒが作用し、かつ、各部には曲げ剛性に応じた弾性変形（撓み）が生じる。曲げ剛性はこの撓みに対する抵抗を表すから、クラウン前部４ａは、クラウン後部４ｂよりも大きく撓む。従って、図６に示されるように、フェース面Ｆを小角度δで後傾させ、ひいては見かけ上のロフト角を大きくし、ボールの打ち出し角度を大にできる。これは、ボールを高く上げるのが苦手なゴルファに対して、有効に飛距離を増大させる。このように、打球時の見かけのロフト角を大きくするためには、クラウン部４の全体を大きく撓ませる必要はない。
【００２１】
またクラウン前部４ａの後方には、剛性が大きいクラウン後部４ｂが設けらるため、打球時におけるクラウン部の弾性変形はクラウン前部の小さい範囲に集中する。これは、変形範囲を小さくすることでエネルギーロスを小さくし、該クラウン前部４ａに蓄積された弾性撓みの復元に伴うスプリング効果をより強くボールに作用させる。従って、反発係数についても向上できる。このように、本発明のゴルフクラブヘッドは、打ち出し角と反発係数との双方を向上させることができるという顕著な作用を奏する。
【００２２】
ここで、曲げ剛性ＥＩは、材料のヤング率と断面二次モーメントＩとの積で決まる。本明細書では、クラウン前部４ａとクラウン後部４ｂとのヤング率が同じ場合には、簡易手法として各々の平均厚さｔｃ１、ｔｃ２を比較してその大小を決定する。他方、クラウン前部４ａとクラウン後部４ｂとヤング率が異なる場合、ヤング率に前記平均厚さの３乗を乗じた値で大小を定める。
【００２３】
、本実施形態のヘッド１は、クラウン部４の内面及び外面が滑らかな面を有して連続しており、かつ、全域が同じ金属材料で形成されている。このため、クラウン前部４ａをクラウン後部４ｂよりも小さい曲げ剛性とするために、クラウン前部４ａの平均厚さｔｃ１を、クラウン後部４ｂの平均厚さｔｃ２よりも小さくした例を示す。
【００２４】
前記クラウン前部４ａの平均厚さｔｃ１は、特に限定はされないが、好ましくは０．５mm以上、より好ましくは０．６mm以上が望ましい。前記平均厚さｔｃ１が０．５mm未満ではクラウン前部４ａの強度が不足して耐久性を損ねる傾向がある。逆に前記平均厚さｔｃ１が大きすぎても、打球時にクラウン前部４ａを大きく撓ませることが困難になる傾向がある。好ましくは前記平均厚さｔｃ１は、前記下限値のいずれかとの組み合わせにおいて、２．０mm以下、より好ましくは１．２mm以下が望ましい。本実施形態のクラウン前部４ａは、実質的に一定の厚さで形成されたものが例示される。
【００２５】
ところで、前記ネック部７は、必要な強度を得るためにその周辺部を含めて厚さが大きく形成されているが、この部分はヘッドの反発には殆ど寄与していない。本明細書では、前記クラウン前部４ａに、このようなネック部７を含まないものとする。具体的には、前記シャフト差込孔７ａの軸中心線ＣＬを中心とする半径２０mmの円筒領域Ｘに含まれる部分は、クラウン前部４ａに含めないものとする。
【００２６】
またクラウン後部４ｂの平均厚さｔｃ２は、特に限定されるわけではないが、好ましくは０．７mm以上、より好ましくは１．０mm以上とするのが望ましい。前記平均厚さｔｃ２が０．７mm未満ではクラウン後部４ｂの剛性が低下するため、打球時にクラウン後部４ｂも大きく変形し、ひいてはエネルギーロスが大きくなって反発性能が低下しやすい傾向がある。逆に、平均厚さｔｃ２が大きすぎても、反発性能を悪化させる傾向がある。好ましくは、前記平均厚さｔｃ２は前記下限値のいずれかとの組み合わせにおいて、好ましくは３．０mm以下、より好ましくは２．５mm以下が望ましい。本実施形態のクラウン後部４ｂは、実質的に一定の厚さで形成されたものが例示される。
【００２７】
クラウン前部４ａの平均厚さｔｃ１と、クラウン後部４ｂの平均厚さｔｃ２との比（ｔｃ２／ｔｃ１）は、好ましくは１．２以上、より好ましくは１．５以上が望ましい。前記比（ｔｃ２／ｔｃ１）が１．２未満であると、クラウン前部４ａとクラウン後部４ｂの剛性が接近するため、打球時におけるクラウン部４の変形が広範囲に亘ったり、あるいはこれとは逆に変形が小さくなる傾向がある。一方、前記比（ｔｃ２／ｔｃ１）が大きすぎても、クラウン前部４ａの剛性を過度に低下させて耐久性を損ねたり、これとは逆にクラウン後部４ｂの剛性を過度に大きくして反発性能を低下させる傾向がある。このような観点より、前記比（ｔｃ２／ｔｃ１）の上限は、前記下限値のいずれかとの組み合わせにおいて、５．０以下、より好ましくは３．０以下とするのが望ましい。
【００２８】
なお各平均厚さの測定方法は、面積で重み付けして測定するものとする。すなわち、例えばクラウン前部４ａの平均厚さｔｃ１を例に挙げると、下記式で計算しうる。
ｔｃ１＝Σ（ｔｃ１i ・Ｓi ）／ΣＳi   （ｉ＝１，２…）
ここで、ｔｃ１ｉはクラウン前部の任意の微小領域ａi の実厚さ、Ｓi は、前記微小領域ａi が占める面積とする。
【００２９】
また、ヘッド１の周波数伝達関数の一次の極小値を示す周波数ｆは、一般に反発係数と逆相関があることが知られている。即ち、この周波数ｆを小さくしたヘッドは、反発係数が大きくなる。これはインピーダンスマッチング理論とも呼ばれる。本実施形態のヘッドは、前記周波数ｆの好ましい範囲、具体的には７００〜１２００Hzに容易に設定することができる。
【００３０】
前記クラウン前部４ａとクラウン後部４ｂとの間の中間領域Ｌｃｃには、クラウン中間部４ｃが設けられている。クラウン中間部４ｃは、クラウン前部４ａと同一の剛性でも良いし、またクラウン後部４ｂと同じ剛性でも良い。クラウン中間部４ｃの平均厚さをｔｃ３とするとき、下記の関係が満たされ得る。
ｔｃ１＜ｔｃ２  かつ  ｔｃ１≦ｔｃ３≦ｔｃ２
【００３１】
本実施形態のクラウン中間部４ｃは、クラウン前部４ａと連なり、かつ、これと実質的に同一の厚さｔｃ１でのびる前部分４ｃ１と、クラウン後部４ｂと連なり、かつ、これと実質的に同一の厚さｔｃ２でのびる後部分４ｃ２と、前部分４ｃ１から後部分４ｃ２に厚さが漸増するテーパ状の継ぎ部分４ｃ３とから構成されている。このようなクラウン中間部は４ｃ、クラウン部４に大きな剛性段差が形成されるのを防ぎ、ひいては打球時の応力集中を緩和しうる点で好ましい。この例では、  ｔｃ１＜ｔｃ３＜ｔｃ２  の関係が満たされている。ただし、クラウン中間部４ｃの構成はこのような形状に限定されるものではない。
【００３２】
また剛性が小さいクラウン前部４ａは、フェース部２の背面２Ｂからクラウン奥行き長さＬｃの０．１５倍の長さの前方領域Ｌｃａに形成されることが必要である。クラウン前部４ａが、クラウン奥行き長さＬｃの０．１５倍未満の長さ領域であると、打球時に十分にクラウン部４を変形させることができず、打ち出し角度の向上が得られず、飛距離の向上には不利となる。一方、クラウン前部４ａは、フェース部２の背面２Ｂからクラウン奥行き長さＬｃの０．３０倍よりも小の範囲まで最大限延長しうる。
【００３３】
また本実施形態のヘッド１は、ソール部５が、フェース部２の背面２Ｂからソール奥行き長さＬｓの０．１５倍の距離を隔てる位置までの前方領域Ｌｓａをなすソール前部５ａと、前記背面２Ｂからソール奥行き長さＬｓの０．３０倍以上かつ１．０倍の後方領域Ｌｓｂをなすソール後部５ｂとを含み、かつ、ソール前部５ｂはソール後部５ｂよりも小さい剛性を有するものが示される。
【００３４】
一般に、ボールをフェース面ＦのスイートスポットＳＳ（ヘッド重心Ｇからフェース面Ｆに引いた前記法線Ｎがフェース面Ｆと交わる点）よりも上側で打球した場合、前述の通りクラウン前部４ａをより効果的に撓ませてそのスプリング効果ないし打ち出し角の向上によって、飛距離の向上を図ることができる。一方、フェース面ＦのスイートスポットＳＳよりも相当下方位置でボールを打球した場合には、十分なクラウン前部４ａの撓みが得られない場合がある。
【００３５】
本実施形態では、ソール部５においても小さい剛性のソール前部５ａと、それよりも大きい剛性を有するソール後部５ｂとを含んで構成されているため、スイートスポットＳＳよりも下方での打撃に際しては、図７に示されるように、ソール前部５ａを効果的に弾性変形により撓ませることにより、小角度βでロフト角を見かけ上小としてボールの打ち出し角を小さくしうる。通常、スイートスポットＳＳよりも下方で打撃した場合には、ギア効果によってボールのバックスピン量が増えボールが高く吹け上がって飛距離をロスする傾向にあるから、本実施形態のヘッド１では、見かけ上のロフト角の減少によって、打球の吹け上がりを防止し飛距離の低下を最小限に抑えることができる。
【００３６】
前記ソール前部５ａの平均厚さｔｓ１は、特に限定はされないが、好ましくは０．８mm以上、より好ましくは１．０mm以上が望ましい。前記平均厚さｔｓ１が０．８mm未満ではソール前部４ａの強度が不足して耐久性を損ねる傾向がある。逆に前記平均厚さｔｓ１大きすぎても、打球時にソール前部５ａを大きく撓ませることが困難になる傾向がある。このような観点より、前記平均厚さｔｓ１は、前記下限値のいずれかとの組み合わせにおいて、好ましくは２．０mm以下、より好ましくは１．５mm以下が望ましい。なお本実施形態のソール前部５ａは、実質的に一定の厚さで形成されたものが例示される。
【００３７】
またソール後部５ｂの平均厚さｔｓ２は、特に限定されるわけではないが、好ましくは１．０mm以上、より好ましくは１．２mm以上とするのが望ましい。前記平均厚さｔｓ２が１．０mm未満ではソール後部５ｂの剛性が低下するため、打球時にソール後部５ｂの撓み量が過度に大きくなり、エネルギーロスが大となって反発性能が低下しやすい。逆に、平均厚さｔｓ２が大きすぎても、反発性能を悪化させる傾向がある。このような観点より、平均厚さｔｓ２は、前記下限値のいずれかとの組み合わせにおいて、好ましくは２．５mm以下、より好ましくは２．０mm以下が望ましい。なお本実施形態のソール後部５ｂは、実質的に一定の厚さで形成されたものが例示される。なお剛性や各平均厚さの測定方法は前述のとおりである。
【００３８】
また図８（Ａ）に示されるように、ソール部５を実質的に一定の厚さで形成し、クラウン部４のみに前部４ａ、後部４ｂの剛性変化が設けても良く、また同図（Ｂ）のように、クラウン部４を実質的に一定の厚さで形成し、ソール部５のみに前部５ａ、後部５ｂを設けても良い。
【００３９】
図９〜図１１には、本発明のさらに他の実施形態を示し、図９はヘッドの分解斜視図、図１０はヘッドの基準状態の平面図、図１１（Ａ）は図９のＢ−Ｂ断面図、同図（Ｂ）は図１１（Ａ）のＣ−Ｃ断面図である。
【００４０】
本実施形態のヘッド１は、クラウン前部４ａの剛性を、クラウン後部４ｂの剛性よりも小さくするために、クラウン後部４ｂの内面側にヘッド前後方向にのびる１ないし複数本（この例では複数本）の突状のクラウンリブ１１が突出形成されたものが例示される。クラウン前部４ａには、このようなクラウンリブ１１は設けられていない。また本実施形態では、クラウンリブ１１が設けられた部分以外のクラウン部４は、実質的に一定の厚さｔｃで形成されている。これにより、クラウンリブ１１が設けられていないクラウン前部４ａの剛性は、クラウン後部４ｂの剛性よりも小さくなる。
【００４１】
クラウンリブ１１は、図１１（Ａ）、（Ｂ）に示されるように、中空部ｉに向かって突出し、ヘッド１の前後方向に突条でのびている。クラウンリブ１１は、鋳造等により予めクラウン後部４ｂに一体に形成される他、接着剤や溶接、ロウ付け等による後付によってクラウン後部４の内側面に一体に設けることもできる。本実施形態ではクラウンリブ１１の断面形状は半円状であるが、矩形状、三角形状、楕円状或いはこれらの組み合わせ等などによって種々の断面形状が採用できる。またクラウンリブ１１がのびるヘッド前後方向とは、厳密なものでなくて良く、例えば前記基準状態において、前記水平面ＨＰに投影されたリブの両端を結ぶ直線が、前記投影法線に対して３０度以下ものを広く包含する。
【００４２】
また図１１（Ｂ）に示されるクラウンリブ１１の突出高さｈは、特に制限はないが、好ましくは０．５mm以上、より好ましくは０．６mm以上が望ましい。前記突出高さｈが０．５mm未満であると、クラウン後部４ｂの剛性を高めることが困難な傾向にあり、打球時にクラウン部４の全体が大きく撓んでしまうおそれがある。逆にクラウンリブ１１の突出高さｈが大きすぎてもクラウン後部４ｂの重量が過度に大きくなり、ヘッド重心Ｇの位置を高くする傾向がある好ましくない。このような観点より、クラウンリブ１１の突出高さｈの上限は、前記下限値のいずれかとの組み合わせにおいて３．０mm以下、より好ましくは１．５mm以下が望ましい。この高さｈは、一定でも良くまた変化しても良い。
【００４３】
またクラウンリブ１１の幅Ｗも、特に制限はないが、好ましくは０．７mm以上、より好ましくは１．０mm以上が望ましい。前記幅Ｗが０．７mm未満であると、クラウン後部４ｂの剛性を高めることが困難な傾向にあり、打球時にクラウン部４の全体が大きく撓んでしまうおそれがある。逆にクラウンリブ１１の幅Ｗが大きすぎてもクラウン後部４ｂの重量が過度に大きくなり、ヘッド重心Ｇの位置を高くする傾向がある好ましくない。このような観点より、クラウンリブ１１の幅Ｗの上限は、前記下限値のいずれかとの組み合わせにおいて３．０mm以下、より好ましくは２．０mm以下が望ましい。
【００４４】
さらに上記と同様の観点より、クラウンリブ１１の横断面積Ｓは、好ましくは０．２mm2 以上、より好ましくは０．５mm2 以上が望ましく、同上限については、前記下限値のいずれかとの組み合わせにおいて、４．０mm2 以下、より好ましくは２．０mm2 以下が望ましい。さらに複数本のクラウンリブ１１において、隣り合うクラウンリブ１１、１１の間隔ｄは、好ましくは５mm以上、より好ましくは７mm以上が望ましく、同上限については、前記下限値のいずれかとの組み合わせにおいて３０mm以下、より好ましくは２０mm以下が望ましい。
【００４５】
またクラウン部４におけるクラウンリブ１１以外の部分の厚さｔｃとしては、例えば０．５mm以上、より好ましくは０．７mm以上が好適であり、また２．０mm以下、より好ましくは１．５mm以下が望ましい。２．０mm以上であると、クラウン前部４ａの剛性を過度に高める傾向があり、逆に０．５mm未満であると、クラウン部４の強度が不足しやすく、耐久性に劣る傾向がある。
【００４６】
またこの実施形態では、クラウン部４と同様、ソール前部４ａの剛性をソール後部５ｂの剛性よりも小さくするために、ソール後部５ｂの内面側にヘッド前後方向にのびる１ないし複数本（この例では複数本）の突状のソールリブ１２が設けられたものを示す。ソール部５は、ソールリブ１２以外の部分については、実質的に一定の厚さで形成されており、ソール前部５ａにはソールリブ１２は設けられていない。従って、ソールリブ１２が設けられていないソール前部５ａの剛性は、ソール後部５ｂの剛性よりも小さくなる。このソールリブ１２についてもクラウンリブ１１と同様の規定が適用できる。
【００４７】
本実施形態のヘッド１は、各種の材料、例えばチタン合金、ステンレス、アルミニウム合金などによって形成することができ、製法についても特に限定されることはない。また、より効果的な飛距離増大効果を得るためには、ヘッド体積を３００cm3 以上、さらに好ましくは３２０cm3 以上とするのが特に望ましい。
【００４８】
以上、本発明の実施形態について詳述したが、本発明は上記実施形態に限定されることなく種々の変形が可能である。例えば、クラウン前部４ａからクラウン後部４ｂに向かって厚さが漸増するものや、クラウン前部４ａと後部４ｂとで材料を異ならせるもの、さらにはクラウン後部４ｂにはリブのような長さのない突部などを間欠的に設けることもできる。
【実施例】
【００４９】
表１の仕様に基づいてヘッド体積４００cm3 、ヘッド質量２００ｇ、リアルロフト角１０度のウッド型のゴルフクラブヘッド（＃１）を試作し、各種のテストを行って性能を比較した。フェース部には、ＤＡＴ５５Ｇ（Ｔｉ−１５Ｖ−６Ｃｒ−４Ａｌ）の圧延材を使用し厚さは均一とした。またヘッド本体にはＴｉ−６Ａｌー４Ｖの鋳造品を使用し、フェース部材に溶接で一体化した。
テスト方法は、次の通りである。
【００５０】
＜反発係数＞
Ｕ．Ｓ．Ｇ．Ａ．の Procedure for Measureing the Velocity Ratio of a Club Head for Conformance to Rule 4-1e, Revision 2 (February 8, 1999) に基づき行ったが、テストボールに関しては、次の４種類で行った。数値が大きいほど良好である。
１．ＸＸＩＯ：ＳＲＩスポーツ社製（２００３年製造）
２．ＨＩ−ＢＲＩＤ  ＥＶＥＲＩＯ：ＳＲＩスポーツ社製（２００３年製造）
３．ＸＸＩＯ：住友ゴム工業社製（２００１年製造）
４．ＤＤＨ  ＸＡＭＸＡ  ＬＡＤＩＥＳ：ＳＲＩスポーツ社製（２００３年製造）
【００５１】
＜マシンテスト＞
各供試ヘッドに同一のカーボン樹脂シャフト（ＳＲＩスポーツ社製  ＭＰ−２００、２００３年製造）を装着して全長４５インチのウッド型のゴルフクラブが試作された。そして各供試クラブを、スイングロボットに取り付けてヘッドスピード４５ｍ／ｓで上記４種類のゴルフボールをそれぞれスイートスポットで１０球づつ打撃し、飛距離（キャリー＋ラン）とバックスピン量を測定した。評価は、いずれも平均値で示す。
【００５２】
＜ヘッドの周波数伝達関数の１次の極小値を示す周波数＞
加振法によって測定する。具体的な手順は次の通りとする。
（１）図１２、図１３に示すように、ヘッド１のフェース面ＦのスイートスポットＳＳに加振機１３の加振部材１２（外径１０mmの円筒状）を接着剤で固着する。
（２）図１３のように加速度ピックアップＰａ２を、ヘッド１の振動が測定できるフェース面ＦのスイートスポットＳＳからトウ側に２０mmの位置に接着剤で固着する。
（３）図１２のように、加振機１３がヘッドを加振するときの加振点の加速度を測定する加速度ピックアップＰａ１を入力治具１５に取付ける。
（４）図１４に示すように、加振機１３でヘッド１に振動を与え、入力治具１５の加速度α１の信号およびヘッド１側の加速度α２の信号をパワーユニットを介してＦＦＴアナライザに取り込む。
（５）ＦＦＴアナライザで周波数伝達関数を（α１のパワースペクトル／α２のパワースペクトル）にて求める。
（６）図１５は、周波数伝達関数の測定結果を示す。このようなグラフからヘッドを加振機に固着して加振法により測定されたヘッドの周波数伝達関数の一次の極小値を示す周波数ｆ（複数の極小値を示す周波数のうち最も小さい周波数）を読取る。テストの結果などを表１に示す。
【００５３】
【表１】
2005137788.tif 000003
2005137788.tif 000004
【００５４】
テストの結果、実施例のヘッドは、比較例のヘッドに比べて有意に飛距離を増大していることが確認できる。またこの結果はゴルフボールの種類を問わす奏される。さらに、種々のボールに対してバックスピン量が安定するため（バラツキが３００ｒｐｍ以下）、打球の飛行高さがほぼ一定となり、安定した飛距離が得られる。
【図面の簡単な説明】
【００５５】
【図１】本実施形態のゴルフクラブヘッドの全体斜視図である。
【図２】その平面図である。
【図３】そのＡ−Ａ端面図である。
【図４】図３のＹ部拡大図である。
【図５】ヘッドの斜視図である。
【図６】ヘッドの打球時の状態を示す側面図である。
【図７】ヘッドの打球時の状態を示す側面図である。
【図８】（Ａ）、（Ｂ）は本発明の他の実施形態を示すヘッドの断面図である。
【図９】本発明の他の実施形態を示すヘッドの分解斜視図である。
【図１０】その平面図である。
【図１１】（Ａ）はその断面図、（Ｂ）はそのＣ−Ｃ断面図である。
【図１２】加振法の測定方法を説明する側面図である。
【図１３】フェース面の正面図である。
【図１４】加振法を説明する全体ブロック図である。
【図１５】周波数伝達関数を示すグラフである。
【符号の説明】
【００５６】
１  ゴルフクラブヘッド
２  フェース部
３  ヘッド本体部
４  クラウン部
４ａ  クラウン前部
４ｂ  クラウン後部
５  ソール部
５ａ  ソール前部
５ｂ  ソール後部
６  サイド部
７  クラウンリブ
８  ソールリブ
Ｌｃ  クラウン奥行き長さ
Ｌｃａ  クラウン部の前方領域
Ｌｃｂ  クラウン部の後方領域
Ｌｓ  ソール奥行き長さ
Ｌｓａ  ソール部の前方領域
Ｌｓｂ  ソール部の後方領域
【図１】
2005137788.tif 000005
【図２】
2005137788.tif 000006
【図３】
2005137788.tif 000007
【図４】
2005137788.tif 000008
【図５】
2005137788.tif 000009
【図６】
2005137788.tif 000010
【図７】
2005137788.tif 000011
【図８】
2005137788.tif 000012
【図９】
2005137788.tif 000013
【図１０】
2005137788.tif 000014
【図１１】
2005137788.tif 000015
【図１２】
2005137788.tif 000016
【図１３】
2005137788.tif 000017
【図１４】
2005137788.tif 000018
【図１５】
2005137788.tif 000019